(57)【要約】【課題】  非接触券に記憶されているデータの内容を確認できるようにする。【解決手段】  無線通信機能を備えたＩＣカードからなる非接触券を収納するとともに、その収納されている非接触券に記録されているデータを表示させる表示部を有する携帯型カード収納表示装置において、収納された前記非接触券がその非接触券を処理する所定の非接触券処理機と交信していないときに、その非接触券に記録されているデータを非接触券で読取る読取手段と、読取られたデータの内容を前記表示部に表示する表示手段と、前記収納部に収納された非接触券と前記読取手段及び前記表示手段の駆動回路との間に設けられた高周波磁性材料からなる隔離部材とからなる。【選択図】      図１
2005228204.tif 000002
【特許請求の範囲】
【請求項１】
無線通信機能を備えたＩＣカードからなる非接触券を収納するとともに、その収納されている非接触券に記録されているデータを表示させる表示部を有する携帯型カード収納表示装置において、
収納された前記非接触券がその非接触券を処理する所定の非接触券処理機と交信していないときに、その非接触券に記録されているデータを非接触で読取る読取手段と、
読取られたデータの内容を前記表示部に表示する表示手段と、
前記収納部に収納された非接触券と前記読取手段及び前記表示手段の駆動回路との間に設けられた高周波磁性材料からなる隔離部材と、
からなることを特徴とする携帯型カード収納表示装置。
【請求項２】
請求項１に記載の携帯型カード収納表示装置において、読取手段及び表示手段の駆動回路の電源が切断されているときに、その読取手段を構成するアンテナのループ状態を切断するオープン回路が設けられていることを特徴とする携帯型カード表示装置。
【請求項３】
請求項１又は２に記載の携帯型カード収納表示装置において、非接触券を収納する収納部と読取手段及び表示手段の駆動回路とは、積層されることなく配置されていることを特徴とする携帯型カード収納表示装置。
【請求項４】
請求項１から３のいずれかに記載の携帯型カード収納表示装置において、非接触券は、非接触式自動改札機で使用されるものであることを特徴とする携帯型カード収納表示装置。
【発明の詳細な説明】
【技術分野】
【０００１】
本発明は、無線通信機能を備えたＩＣカードからなる非接触券を収納するための携帯型カード収納表示装置に係り、特に、収納されている非接触券に記録されているデータ内容を非接触券処理機との通信に障害を与えることなく、表示させることができるようにしたものに関する。
【背景技術】
【０００２】
近年、利用者（旅客）の利便向上を図るために、定期券やストアードフェアカード（ＳＦカード）等の乗車券類を無線通信機能を備えたＩＣカードからなる非接触券とするときに、自動改札機をその非接触券と交信できるアンテナを備えた非接触式自動改札機とした自動改札システムが採用されるようになってきている（特許文献１参照）
【０００３】
また、この非接触券は、自動改札機に投入されることがないので、ＳＦデータの残額を券面に印字することができないので、その非接触券に記録されているデータの内容を表示させることのできる携帯型の読取装置も提案されている（特許文献２参照）。
【特許文献１】特開２００３−２２３６５９号公報
【特許文献２】特開２０００−４８１３７号公報
【発明の開示】
【発明が解決しようとする課題】
【０００４】
しかしながら、上記従来の携帯型の読取装置は、非接触券に記録されているデータを読取るとときに非接触券を読取装置に挿入したり、また、非接触券を収納できるカードケースを兼ねた読取装置の場合は、非接触式自動改札機等の非接触券処理機と交信するときはケースの蓋を開けたり、あるいはそのケースから取出して交信しなければならないなどの面倒があった。
【０００５】
殊に、非接触券を非接触券処理機のアンテナにかざした場合、又はそのアンテナに軽くタッチした場合（以下、タッチで説明する。）、そのカードケース内に非接触券の他に、その非接触券に記録されているデータを読取るための回路等が存在すると、交信不良が生じやすくなり、その非接触券処理機が非接触式自動改札機の場合は、非接触券が有効券であるにもかかわらず、読取不良又は書込不良により入出場（入場又は出場を意味している。）が拒否されるおそれがあった。すなわち、非接触券の磁束の通り道に非接触券以外の金属が存在すると磁束の通りが阻害されて通信不良を生じやすく、したがって、磁束の通り道には金属を置かないことが原則とされている。このような事情により、カードケースを兼用した非接触券の表示装置は実用化されていなかった。
【０００６】
そこで、本発明は、上記欠点を解決するためになされたものであって、その目的は、カードケースを兼用することができ、しかも、非接触券処理機との間の通信に影響を与えることなく、非接触券に記録されているデータの内容を表示させることのできる携帯型カード収納表示装置を提供することにある。
【課題を解決するための手段】
【０００７】
本発明に係る携帯型カード収納表示装置は、上記目的を達成するために、請求項１に記載の発明は、無線通信機能を備えたＩＣカードからなる非接触券を収納するとともに、その収納されている非接触券に記録されているデータを表示させる表示部を有する携帯型カード収納表示装置において、収納された前記非接触券がその非接触券を処理する所定の非接触券処理機と交信していないときに、その非接触券に記録されているデータを非接触で読取る読取手段と、読取られたデータの内容を前記表示部に表示する表示手段と、前記収納部に収納された非接触券と前記読取手段及び前記表示手段の駆動回路との間に設けられた高周波磁性材料からなる隔離部材と、からなることを特徴としている。
本発明の請求項２に記載の携帯型カード収納表示装置は、読取手段及び表示手段の駆動回路の電源が切断されているときに、その読取手段を構成するアンテナのループ状態を切断するオープン回路が設けられていることを特徴としている。
本発明の請求項３に記載の携帯型カード収納表示装置は、非接触券を収納する収納部と読取手段及び表示手段の駆動回路とは、積層されることなく配置されていることを特徴としている。
本発明の請求項４に記載の携帯型カード収納表示装置は、非接触券は、非接触式自動改札機で使用されるものであることを特徴としている。
【発明の効果】
【０００８】
本発明の請求項１に記載の携帯型カード収納表示装置は、収納された非接触券がその非接触券を処理する所定の非接触券処理機と交信していないときに、その非接触券に記録されているデータを非接触で読取る読取手段と、読取られたデータの内容を前記表示部に表示する表示手段と、前記収納部に収納された非接触券と前記読取手段及び前記表示手段の駆動回路との間に設けられた高周波磁性材料からなる隔離部材とからなるので、非接触券に記録されているデータの内容を容易に見ることができ、さらに、非接触券に対する磁束の通過が良好に行われ、非接触券と非接触券処理機との間の通信を良好に行わせることができる。
本発明の請求項２に記載の携帯型カード収納表示装置は、読取手段及び表示手段の駆動回路の電源が切断されているときに、その読取手段を構成するアンテナのループ状態を切断するオープン回路が設けられているので、非接触券と非接触券処理機との間の通信をより良好に行わせることができる。
本発明の請求項３に記載の携帯型カード収納表示装置は、非接触券を収納する収納部と読取手段及び表示手段の駆動回路とが、積層されることなく配置されているので、非接触券に対する磁束の通過が良好に行われ、非接触券と非接触券処理機との間の通信を良好に行わせることができる。
本発明の請求項４に記載の携帯型カード収納表示装置は、非接触券が非接触式自動改札機で使用されるものであるので、非接触券と非接触式自動改札機との間の通信が良好に行われ、したがって、有効な非接触券が入出場を拒否されるのを未然に防止することができる。
【発明を実施するための最良の形態】
【０００９】
以下、本発明を実施するための最良の形態を図面に基づいて説明する。図１は、一実施の形態に係る携帯型カード収納表示装置の斜視図であり、本体１と蓋体１０とを有し、図１は、蓋体１０が開いた状態で示されている。また、図２は、図１の蓋体１０が閉じた状態の右側面図である。
【００１０】
本体１の平面形状は、非接触券Ｃの平面形状より少し大きい長方形上を呈し、その厚さは、非接触券Ｃの厚さよりも少し厚く形成されていて、その内部に非接触券Ｃを収納できる収納部２が設けられている。そして、この収納部２には、本体１の短辺側の側面に設けられている挿入口３から非接触券Ｃが出し入れできるように構成されている。
【００１１】
図中４は、本体１の上面（蓋体１０と対向する面）の中央部に設けられた押釦式のスイッチ群からなる操作部であり、また、５は同じく本体１の上面に設けられた押釦式のスイッチからなる携帯型カード収納表示装置の電源をＯＮ，ＯＦＦする電源スイッチである。そして、６は、本体１の上面側に設けられた釦型電池を収納するためのバッテリ収納部である。なお、このバッテリ収納部６は、本体１の短辺又は長辺の側面に釦型電池の挿入口を設けて構成するようにしてもよい。
【００１２】
図中、７は、本発明の読取手段及び表示手段の機能を実現するための電気回路を形成する駆動回路であり、収納部２よりも上面側近くに設けられている。また、８は、駆動回路７と収納部２との中間に設けられていて両者を隔離するように設けられた、本発明の高周波磁性材料からなる隔離部材に相当するフェライトシートである。そして、９は、フェライトシート８と収納部２との中間に設けられループアンテナからなるアンテナである。
【００１３】
蓋体１０は、その平面形状は本体１の平面形状と同じ大きさで、その厚さは本体１の厚さよりも少し薄く形成されている。そして、この蓋体１０は、本体１の長辺の一方とヒンジ１ａを介して本体１と回動自在に接続されている。また、この蓋体１０の裏面（本体１と対向する面）には、表示画面からなる表示部１１及びソーラパネル１２がそれぞれ設けられている。なお、このソーラパネル１２は、上記バッテリ収納部６に設けられている釦型電池を補完するので、省略することもできる。また、このソーラパネル１２は、蓋体１０の表面側に設けて常時発電して蓄電できるようにしてもい。この場合は、釦型電池を省略することができる。
【００１４】
図３は、本発明に係る携帯型カード収納表示装置の電気的構成を示すものであって、上記駆動回路７中には、この携帯型カード収納表示装置を統括的に駆動制御するＣＰＵ２０が設けられている。すなわち、このＣＰＵ２０は、メモリ２１に格納されている制御プログラムやワーキングデータを用いて後述する読取りや表示を行えるように構成されている。そして、このＣＰＵ１０には、図示しないＩ／ｏユニットを介して操作部４からの信号を入力する入力回路２２と、アンテナ９をオープン回路２３を介して接続している読取回路２４と、表示部１１を駆動制御する表示回路２５とが接続されている。
【００１５】
また、この駆動回路７中には、バッテリ収納部６に収納されている釦型電池及びソーラパネル１２からなる電源回路２６が設けられていて、この電源回路２６は、電源スイッチ５のＯＮにより上述のＣＰＵ２０等に対して駆動電源を供給できるように構成されている。そして、この電源スイッチ５がＯＮ，ＯＦＦされたときは、図示しないリレー回路がＯＮ，ＯＦＦされるように構成されている。すなわち、このオープン回路２３は、リレー回路の接点で構成されていて、電源スイッチ５がＯＮされたときにアンテナ９のループを形成してアンテナ９を読取回路２４に接続し、その電源スイッチ５がＯＦＦされたときに、アンテナ９のループの一部を切断（オープン）してアンテナ９の機能を消失させることができるように構成されている。
【００１６】
図３中に示されるフェライトシート８は、本体１中の収納部２に収納されている非接触券Ｃと、その本体１中の駆動回路７とがこのフェライトシート８により区分されている状態を模式的に示したものである。すなわち、上述のオープン回路２３が図３に示されるように切断されているとき、つまり、駆動回路７の駆動が停止されているときは、アンテナ９は開放されており、また、駆動回路７と収納部２（非接触券Ｃ）との間は、フェライトシート８により遮蔽された状態にある。したがって、この状態で非接触券Ｃが図示しない非接触式自動改札機等の非接触券処理機のアンテナ（図示せず）にタッチされると、そのアンテナから送出されている磁束が非接触券Ｃのループ状のアンテナＣ′を通過することができ、その非接触券ＣのＣＰＵを中心に構成されている駆動回路Ｃ″を支障なく駆動させることができる。従って、非接触券Ｃの読取り，書込みを良好に行わせることができるという特長がある。
【００１７】
上記構成からなる携帯型カード収納表示装置を用いて非接触券Ｃに記録されているデータを見たいときには、利用者によって蓋体１０が開けられ（図１の状態参照）、ついで電源スイッチ５がＯＮとされる。この電源ＯＮによりＣＰＵ２０等に電源が供給されて駆動回路７がＯＮ状態になるとともに、オープン回路２３もＯＮとなってアンテナ９が読取装置２４に接続される。
【００１８】
電源スイッチ５のＯＮにより、読取回路２４もＯＮとされるので、アンテナ９から非接触券ＣのアンテナＣ′に電力波が送出されて非接触券Ｃの駆動回路Ｃ″が駆動されて、その駆動回路Ｃ″中のメモリ（図示せず）に記憶されているデータがアンテナＣ′，９を介して読取回路２４に読取られてメモリ２１に記憶される。そして、操作部４の操作に応じた表示が表示部１１に表示される。図示の例では、表示部１１に定期券及びＳＦカードの内容が表示されているが、例えば、過去の使用履歴などを表示させることもできる。
【００１９】
非接触券Ｃの内容確認終了後は、電源スイッチ５がＯＦＦとされて蓋体１０が閉じられる（図２の状態参照）。なお、電源スイッチ５がＯＮの状態で非接触券Ｃが非接触券式自動改札機などで使用されると、通信に支障を来すおそれがあるので、蓋体１０が閉じられたときに電源スイッチ５が自動的にＯＦＦとなるようにしてもよい。
【００２０】
図４は、本発明の他の実施の形態を示す携帯型カード収納表示装置の斜視図であり、本体１′は、上記本体１よりも細長に構成されていて、細長くなった部分に上記電源スイッチ５の機能も含めた操作部４、駆動回路７及びバッテリ収納部６が設けられている。したがって、ここでは、収納部２（非接触券Ｃ）と駆動回路７等とが積層されることがないので、上述したフェライトシート８は省略されている。なお、ここでもアンテナ９は非接触券Ｃの収納部２の近辺に設けられるのでオープン回路２６は設けられる。
【００２１】
また、図４中、１ａは、収納部２の中央部分を開放して形成された窓であり、収納部２に挿入された非接触券Ｃの券面に印字されている内容（図示の例では定期券の内容）が表示部１１に表示することなく見ることができるように構成されている。この携帯型カード収納表示装置においても、上記携帯型カード収納表示装置と同様に、操作部４を操作して非接触券Ｃに記録されている内容を表示部１１に表示して見ることができる。なお、この本体１′にも、本体１′の上面を覆うカバーを設けて表面を保護するようにしてもよい。
【００２２】
上述の例では、電源スイッチ５をＯＮに操作して非接触券Ｃに記憶されているデータの内容を見るようにしたが、非接触券Ｃが非接触式自動改札機等の非接触券処理機と通信を行った後に、所定時間（例えば１０秒間）、ＳＦカードの残額等の所定データを自動的に表示するようにしてもよい。この場合、図１及び図２に示される蓋体１０付の携帯型カード収納表示装置には、蓋体１０を開けることなくその内容を見ることができるように、蓋体１０の表面側にも小さい表示部が設けられる。
【００２３】
さらに、上述の例では、携帯型カード収納表示装置は利用者が所持するものとして説明したが、列車の車掌等の係員が所持し、利用者から預かった非接触券Ｃの内容を確認するときに用いてもよい。また、非接触券処理機は、非接触式自動改札機を例としたが、非接触券を用いることのできる自動販売機等の他の機器であってもよいことはもちろんである。
【図面の簡単な説明】
【００２４】
【図１】本発明の一実施の形態に係る携帯型カード収納表示装置の斜視図である。
【図２】図１の蓋体を閉じた状態の右側面図である。
【図３】電気的構成を示すブロック図である。
【図４】本発明の他の実施の形態に係る携帯型カード収納表示装置の斜視図である。
【符号の説明】
【００２５】
１，１′      本体
１ａ      窓
２      収納部
３      挿入口
４      操作部
５      電源スイッチ
６      バッテリ収納部
７      駆動回路
８      フェライトシート
９      アンテナ
１０      蓋体
１１      表示部
１２      ソーラパネル
【図１】
2005228204.tif 000003
【図２】
2005228204.tif 000004
【図３】
2005228204.tif 000005
【図４】
2005228204.tif 000006